(57)【特許請求の範囲】
【請求項１】
複数の鍵ホルダと、複数の鍵ホルダ挿入部を備えこの鍵ホルダ挿入部に挿入される各鍵ホルダを施解錠する装置本体と、を備えた鍵管理装置であって、
鍵ホルダは、
鍵ホルダ挿入部に挿入され装置本体により施解錠される差込部およびこの差込部の手前上部に形成される把手部を有するホルダ本体と、
把手部の下方に位置する環状の鍵吊り下げ部材と、
鍵吊り下げ部材を介さずに把手部に直接取り付けられ、鍵吊り下げ部材の鍵通し用の開口部が把手部の内部に位置する状態として鍵吊り下げ部材を把手部に固定する固定部材と、
を備え、
固定部材は把手部に対する取り付け用の係止爪を有し、固定部材または把手部の破壊無しに前記係止爪の外れが不能に構成されていることを特徴とする鍵管理装置。
【請求項２】
前記固定部材は、各々形成された前記係止爪が互いに係止することにより前記把手部の左右側面に取り付けられる第１固定カバーおよび第２固定カバーからなることを特徴とする請求項１に記載の鍵管理装置。
【請求項３】
前記把手部の下面に挿通溝が形成され、
前記鍵吊り下げ部材は、この挿通溝を介して把手部内に挿通された上部周りが、前記第１固定カバーおよび第２固定カバーの各裏面の少なくとも一方に形成した突起部に係止して下方への抜け止めがなされることを特徴とする請求項２に記載の鍵管理装置。
【請求項４】
前記鍵吊り下げ部材の下部は水平な直線形状に形成されていることを特徴とする請求項１ないし請求項３のいずれか一項に記載の鍵管理装置。
【発明の詳細な説明】
【技術分野】
【０００１】
本発明は、鍵管理装置に関する。
【背景技術】
【０００２】
複数の鍵ホルダと、複数の鍵ホルダ挿入部を備えこの鍵ホルダ挿入部に挿入される各鍵ホルダを施解錠する装置本体と、を備えた鍵管理装置の従来例としては例えば特許文献１に記載のものが挙げられる。この種の鍵ホルダには、鍵の不正な抜き取りを防止するための封緘具が設けられることがある。
【０００３】
図８は封緘具の一従来例を示す図である。鍵ホルダ６１の本体６２には貫通孔６３が形成され、この貫通孔６３に挿通係止する態様で環状の鍵吊り下げ部材６４が取り付けられている。鍵吊り下げ部材６４に形成される鍵通し用の開口部周りは封緘具６５内にレイアウトされており、封緘具６５を破壊しない限り鍵Ｋを鍵吊り下げ部材６４から抜き取ることができない構造となっている。つまり、封緘具６５は鍵Ｋの不正な抜き取りを防止するとともに、無理な抜き取りがあった場合には破壊の痕跡を示すことで不正行為等があったことを示唆する機能を担う。
【先行技術文献】
【特許文献】
【０００４】
【特許文献１】特開２００９−１３７３２号公報
【発明の概要】
【発明が解決しようとする課題】
【０００５】
しかしながら、図８に記載の封緘具６５の構造では、特に多数の鍵Ｋが鍵吊り下げ部材６４に取り付けられる場合、封緘具６５が多数の鍵Ｋに混在することになるので、鍵Ｋの使い勝手が悪くなりやすいという問題がある。また、従来の鍵吊り下げ部材６４は円形状であったため、多数の鍵Ｋを取り付けたときには鍵Ｋが嵩張りやすいという問題がある。
【０００６】
本発明は、このような問題を解消するために創案されたものであり、不正行為の示唆機能を有したうえで鍵の使い勝手の向上が図れる鍵管理装置を提供することを目的としている。
【課題を解決するための手段】
【０００７】
本発明は、前記課題を解決するため、複数の鍵ホルダと、複数の鍵ホルダ挿入部を備えこの鍵ホルダ挿入部に挿入される各鍵ホルダを施解錠する装置本体と、を備えた鍵管理装置であって、鍵ホルダは、鍵ホルダ挿入部に挿入され装置本体により施解錠される差込部およびこの差込部の手前上部に形成される把手部を有するホルダ本体と、把手部の下方に位置する環状の鍵吊り下げ部材と、鍵吊り下げ部材を介さずに把手部に直接取り付けられ、鍵吊り下げ部材の鍵通し用の開口部が把手部の内部に位置する状態として鍵吊り下げ部材を把手部に固定する固定部材と、を備え、固定部材は把手部に対する取り付け用の係止爪を有し、固定部材または把手部の破壊無しに前記係止爪の外れが不能に構成されていることを特徴とする。
【０００８】
当該鍵管理装置によれば、破壊の痕跡により不正行為があったことを示唆する封緘の機能を把手部に担わせることができる。したがって、従来のように鍵吊り下げ部材において鍵と封緘具とが混在することがなく、鍵の使い勝手が向上する。
【０００９】
また、本発明は、前記固定部材は、各々形成された前記係止爪が互いに係止することにより前記把手部の左右側面に取り付けられる第１固定カバーおよび第２固定カバーからなることを特徴とする。
【００１０】
当該鍵管理装置によれば、カバーのこじ開け時に無理な力がかかりやすい係止爪をホルダ本体側に設ける必要がない。したがって、カバーのこじ開けがあったときには、第１固定カバー、第２固定カバーの交換だけで済み、これらカバーに比べ大型で高価なホルダ本体はそのまま使用できる。
【００１１】
また、本発明は、前記把手部の下面に挿通溝が形成され、前記鍵吊り下げ部材は、この挿通溝を介して把手部内に挿通された上部周りが、前記第１固定カバーおよび第２固定カバーの各裏面の少なくとも一方に形成した突起部に係止して下方への抜け止めがなされることを特徴とする。
【００１２】
当該鍵管理装置によれば、簡単な構造で鍵吊り下げ部材を把手部に固定できる。
【００１３】
また、本発明は、前記鍵吊り下げ部材の下部は水平な直線形状に形成されていることを特徴とする。
【００１４】
当該鍵管理装置によれば、直線形状部において隣り合う鍵同士を密接させて吊り下げることができ、多数の鍵を取り付けた場合であっても嵩張ることがない。
【発明の効果】
【００１５】
本発明の鍵管理装置によれば、鍵ホルダにおいて、破壊の痕跡により不正行為があったことを示唆する封緘の機能を把手部に担わせることができる。したがって、従来のように鍵吊り下げ部材において鍵と封緘具とが混在することがなく、鍵の使い勝手が向上する。
【図面の簡単な説明】
【００１６】
【図１】本発明に係る鍵管理装置の外観斜視図であり、（ａ）、（ｂ）はそれぞれ表扉が閉じた状態、開いた状態を示す。
【図２】本発明に係る鍵ホルダの外観斜視図である。
【図３】本発明に係る鍵ホルダの分解斜視図である。
【図４】本発明に係る鍵ホルダの側面図（一部破断）である。
【図５】図４におけるＡ−Ａ断面図である。
【図６】施解錠機構の一例を示す側面図である。
【図７】（ａ）は識別板に割り振られるマス区分のイメージ図、（ｂ）は識別板およびピン形成板の外観斜視図である。
【図８】鍵ホルダに取り付けられる従来の封緘具を示す外観斜視図である。
【発明を実施するための形態】
【００１７】
図１に示すように、本発明に係る鍵管理装置１は、複数の鍵ホルダ２と、複数の鍵ホルダ挿入部４を備え、この鍵ホルダ挿入部４に挿入される各鍵ホルダ２を施解錠する装置本体３と、を備えている。
【００１８】
装置本体３は、例えばカードリーダ部５と、暗証番号入力部６と、日付や認証結果等を表示する表示部７とを有しており、通常時は図１（ａ）のように表扉８が閉じてロックされた状態にある。カードリーダ部５および暗証番号入力部６の少なくとも一方による本人認証がＯＫとなった場合、図１（ｂ）のように表扉８を開くことが可能となり、盤面に形成された鍵ホルダ挿入部４に対する鍵ホルダ２の取り出し・返却が可能になる。
【００１９】
図２および図３に示すように、鍵ホルダ２は、鍵ホルダ挿入部４（図１）に挿入され、装置本体３（図１）に内蔵された施解錠機構により施解錠される差込部１１およびこの差込部１１の手前上部に形成される把手部１２を有するホルダ本体１３と、把手部１２の下方に位置する環状の鍵吊り下げ部材１４と、把手部１２に取り付けられ、鍵吊り下げ部材１４を把手部１２に固定する固定部材１５とから構成されている。
【００２０】
ホルダ本体１３は樹脂製部材であって、差込部１１と把手部１２とは一体に成形されている。差込部１１は縦断面が縦長矩形状となる直方体形状を呈しており、左右側面には樹脂変形防止のための複数の溝１６が形成されるとともに、天地逆の差し込みを防止するためのリブ１７が突設されている。
【００２１】
また、差込部１１の上面には前記施解錠機構との係脱用の凹部１８が形成されている。施解錠機構については本発明の趣旨から外れるため図６を参照して簡単に説明すると、鍵ホルダ２が鍵ホルダ挿入部４に差し込まれた状態で、施解錠機構の一部である係合レバー２０が支点２０Ａ回りに回動して凹部１８に係脱することで、鍵ホルダ２が装置本体３にロック或いはアンロックされる。
【００２２】
ここで、各鍵ホルダ２はそれぞれに割り当てられた鍵ホルダ挿入部４にしか差し込めないようになっている。この鍵ホルダ２の編成を行うにあたり、本実施形態ではホルダ本体１３とは別部材からなる識別板５１を用いている。識別板５１は縦長の板金材からなる。識別板５１は、図３に示すように、一方の側縁周りが差込部１１の内溝に嵌合され、他方の側縁周りが蓋材１１Ａの内溝に嵌合されることで、差込部１１の先端面（鍵ホルダ挿入部４に対向する面）にレイアウトされる。
【００２３】
図７（ａ）に示すように、識別板５１は例えば縦１０マス横２マスの計２０マスの仮想区分を有する部材として捉えられ、各マスにおける孔の有無の組み合わせにより、多数の鍵ホルダ２の編成が可能になる。もちろん、識別板５１の形状は鍵ホルダ２毎に異ならせることになるが、識別板５１は板金材からなるため、製造時に金型の打ち抜きピンの位置を変更するだけで済み、製造コストの負担は殆どない。図７（ｂ）に示すピン形成板５２、５３は装置本体３側に固定される部材であり、ピンが識別板５１の孔に挿通することで正規の鍵ホルダ２のみの差し込みを可能とする。ピン形成板５２、５３の形状も鍵ホルダ２毎に異なることになるが、ピン形成板５２、５３も板金材からなるため、金型の打ち抜きピンの位置を変更するだけで済む。以上のように、鍵ホルダ２の編成を行うにあたり、板金材からなる識別板５１を用いることにより、ホルダ本体１３の樹脂金型は１つだけで済み、鍵ホルダ２の製造コストを抑えることができる。
【００２４】
図２および図３に戻り、把手部１２は、差込部１１の手前上部を基端として水平に延設される直方体形状を呈した部位であって、鍵ホルダ２を挿脱するときに指で把持する部位となる。把持部１２の上面には、一頂点が差込部１１側に臨むように位置する三角形の差込方向マーク１９が凸状に一体成形されており、この差込方向マーク１９の向きにより、差込部１１側を鍵ホルダ挿入部４側に向けて差し込みを行うことが瞬時に判別できる。なお、把手部１２の上面および両側面は差込部１１の上面および両側面から若干の段差をもって張り出しており、鍵ホルダ挿入部４に対する把手部１２の差し込みはできないようになっている。
【００２５】
把手部１２には、いずれも把手部１２の両側面にわたって貫通する孔断面横長矩形状の係止爪用貫通孔２１と、この係止爪用貫通孔２１の両側に位置する孔断面円形の突起部用貫通孔２２、２２とが形成されている。各突起部用貫通孔２２の中央部周りから把手部１２の下面にかけては、鍵吊り下げ部材１４の屈曲部２７を挿通させるための挿通溝（スリット２３）（図４、図５参照）が形成されている。また、差込部１１の手前側の端面には鍵吊り下げ部材１４の一方の立ち上がり部２９が差し込まれるスリット２４が形成される。把手部１２の両側面には、後述する第１固定カバー３１、第２固定カバー３２が隙間無く面一に嵌め込み可能となるように、各カバーと同一形状でカバーの厚み分の深さを有する凹部２５が形成されている。各凹部２５の下縁中央周りには、第１固定カバー３１、第２固定カバー３２の各下縁の中央周りを露出させるための切り欠き部２６が形成されている。
【００２６】
鍵吊り下げ部材１４は、いわゆるキーリングであって、例えば金属製の比較的太径の線材から構成される。本実施形態の鍵吊り下げ部材１４は略台形状を呈しており、上部中央は鍵通し用として開口形成され、上部両端は内側に屈曲する屈曲部２７として形成されている。鍵吊り下げ部材１４の下部は水平な直線形状部２８として形成され、直線形状部２８の端部から各屈曲部２７にかけて傾斜状の立ち上がり部２９が形成される。
【００２７】
鍵吊り下げ部材１４を把手部１２に固定する機能を担う固定部材１５は、本実施形態では、把手部１２の左右側面に取り付けられる第１固定カバー３１および第２固定カバー３２から構成される。第１固定カバー３１および第２固定カバー３２はともに樹脂製部材からなる。第１固定カバー３１、第２固定カバー３２の少なくとも一方の表面には、例えば視認により鍵ホルダ２を特定しやすくするための番号が付される。
【００２８】
第１固定カバー３１および第２固定カバー３２はそれぞれ把手部１２に対する取り付け用の係止爪３３、３４を有する。第１固定カバー３１と第２固定カバー３２とは、係止爪３３と係止爪３４とが係止することで双方を把手部１２の側面に密着させるように取り付けられる。
【００２９】
図３および図５を参照して、第１固定カバー３１は横長矩形状を呈しており、その裏面中央部周りには、裏面と直交し鉛直方向に沿う矩形平板状であって先端縁に鉤爪を形成した係止爪３３が、横方向に間隔をおいて一対形成されている。各係止爪３３の鉤爪は互いに背くように突設されている。第２固定カバー３２も第１固定カバー３１と略同一の横長矩形状を呈し、その裏面中央部周りには、裏面と直交し鉛直方向に沿う矩形平板状であって先端縁に鉤爪を形成した係止爪３４が、第１固定カバー３１側の係止爪３３同士の間隔より広い間隔をおいて一対形成されている。各係止爪３４の鉤爪は互いに対向する側に突設されている。なお、第１固定カバー３１の裏面において、係止爪３３、３３間のカバー上縁とカバー下縁には、工具等の侵入を防ぐためのリブ４３が形成されている。
【００３０】
また、第１固定カバー３１の裏面において、各係止爪３３の横方向外側には円柱形状の突起部３５が突設されている。この突起部３５は、厳密には先端に向かうにしたがい細くなる傾斜面を有した円錐台形状を呈している。第２固定カバー３２の裏面においては、各係止爪３４の横方向外側に、第１固定カバー３１側の突起部３５が挿入される略円筒形状の突起部３６が突設されている。突起部３６の周壁には、弾性により径が拡縮自在となるように軸方向の複数の切込み３７（図３）が形成されており、突起部３６の先端縁には外側に向けて係合フランジ３８が突設されている。係合フランジ３８の上端外側には図５に示すように傾斜面３９が形成されている。
【００３１】
第１固定カバー３１および第２固定カバー３２の少なくとも一方には局所的に薄肉部４０が形成される。本実施形態では、第２固定カバー３２の裏面の横方向中央部にＶ溝４１を縦方向に沿って形成し、このＶ溝４１の溝底部と各カバー表面との間を薄肉部４０としている。つまり、第２固定カバー３２において、一対の係合爪３４，３４の間に薄肉部４０が形成される。薄肉部４０の下端は前記した切り欠き部２６に臨んでいる。第２固定カバー３２に対して把手部１２から取り外す外力を加えると、係止爪３３と係止爪３４との係止が外れる前に薄肉部４０が破断するようになっている。
【００３２】
以上の構成からなる鍵ホルダ２の組み付け手順を説明する。先ず、鍵吊り下げ部材１４の上端（屈曲部２７）を若干内側に撓ませた状態でスリット２３を介して把手部１２の内部に差し込む。一方の立ち上がり部２９はスリット２４に嵌め込む。鍵吊り下げ部材１４の差し込みが終了したとき、鍵吊り下げ部材１４の上端周りはその弾性復元力により把手部１２の内壁に押し付けられるので、鍵吊り下げ部材１４が把手部１２から容易に落ちることはない。
【００３３】
次いで、第２固定カバー３２を把手部１２の凹部２５に嵌め込む。係止爪３４は係止爪用貫通孔２１に位置し、突起部３６は突起部用貫通孔２２に挿通される。突起部３６が突起部用貫通孔２２に挿通される過程においては、切込み３７を有しているため、係合フランジ３８が突起部用貫通孔２２の内壁に押されて縮径した状態となって挿通される。挿通時には、図５に示す傾斜面３９の存在により、途中に通過するスリット２３に対して引っ掛かりが生ずることもない。係合フランジ３８が突起部用貫通孔２２の一端部に形成された拡径部に達すると、突起部用貫通孔２２の内壁から解放された係合フランジ３８は弾性復元力により拡径し、把手部１２の内壁の係合面４２に係合する。
【００３４】
次いで、第１固定カバー３１を把手部１２の凹部２５に嵌め込むと、係止爪用貫通孔２１内において係止爪３３が第２固定カバー３２の係止爪３４に係合し、突起部用貫通孔２２内においては突起部３５が突起部３６の中空内壁にほぼ密接する態様で挿入される。したがって、係合フランジ３８を外す方向の力、すなわち係合フランジ３８を縮径方向に移動させる力が働いた場合であっても、係合フランジ３８の移動は突起部３５により規制されることとなり、係合面４２から外れることはない。
【００３５】
以上により、屈曲部２７が突起部３６に係止することで把手部１２に対して鍵吊り下げ部材１４が固定される。第１固定カバー３１および第２固定カバー３２は各凹部２５に嵌り込み、カバーの縁部が把手部１２の側面と殆ど隙間無く面一に連なるので、カバーの無理なこじ開けもしづらくなる。
【００３６】
そして、第２固定カバー３２を無理にこじ開けた場合には、係止爪３３、３４の係止が外れる前に薄肉部４０が破断するので、不正行為があった旨が瞬時に判る。勿論、把手部１２を破壊した場合にもその痕跡が把手部１２に残るので、不正行為があった旨が瞬時に判る。
【００３７】
運用上、管理者が鍵を変更する場合が生じたときには、切り欠き部２６を利用して、露出している把手部１２と第２固定カバー３２との隙間に工具等を差し込んで第２固定カバー３２を破断して取り外し、次いで第１固定カバー３１を取り外す。鍵の付け替え後は、新品の第２固定カバー３２および第１固定カバー３１を用いて前記した組み付け手順により再度組み付ける。
【００３８】
以上のように、固定部材１５（第１固定カバー３１、第２固定カバー３２）が把手部１２に対する取り付け用の係止爪３３、３４を有し、固定部材１５または把手部１２の破壊（塑性変形）無しに係止爪３３、３４の外れを不能に構成すれば、破壊の痕跡により不正行為があったことを示唆する封緘の機能を把手部１２に担わせることができる。したがって、従来のように鍵吊り下げ部材において鍵と封緘具とが混在することがなく、鍵の使い勝手が向上する。なお、「把手部に対する取り付け用の係止爪」とは、把手部に直接係止する係止爪に限定されるものではなく、本実施形態のように、係止爪３３、３４同士の係止の結果として第１固定カバー３１、第２固定カバー３２を把手部１２に取り付ける場合の当該係止爪３３、３４も含むものである。
【００３９】
また、固定部材１５を、各々形成された係止爪３３、３４が互いに係止することにより把手部１２の左右側面に取り付けられる第１固定カバー３１および第２固定カバー３２から構成すれば、カバーのこじ開け時に無理な力がかかりやすい係止爪を、把手部１２側、つまりホルダ本体１３側に設ける必要がない。したがって、カバーのこじ開けがあったときには、第１固定カバー３１、第２固定カバー３２の交換だけで済み、これらカバーに比べ大型で高価なホルダ本体１３はそのまま使用できる。
【００４０】
また、第１固定カバー３１および第２固定カバー３２の少なくとも一方に、把手部１２から取り外す外力が加わったときに破断する薄肉部４０を設ければ、第１固定カバー３１または第２固定カバー３２の破壊箇所の殆どを薄肉部４０に集約できるので、破壊の痕跡の有無を瞬時に識別できる。
【００４１】
さらに、把手部１２の下面に挿通溝（スリット２３）が形成され、鍵吊り下げ部材１４は、スリット２３を介して把手部内に挿通された上部周りが、第１固定カバー３１および第２固定カバー３２の各裏面の少なくとも一方に形成した突起部３５、３６に係止して下方への抜け止めがなされる構成とすれば、簡単な構造で鍵吊り下げ部材１４を把手部１２に固定できる。突起部３５のみ或いは突起部３６のみを突起部用貫通孔２２に貫通させて、そのいずれか一方で鍵吊り下げ部材１４の上部周りを係止させる態様にしてもよい。
【００４２】
また、鍵吊り下げ部材１４は、上部中央が開口して上端には突起部３５、３６に係止する屈曲部２７が形成され、第１固定カバー３１、第２固定カバー３２にはそれぞれ突起部３５、３６が形成され、一方の突起部３５が円筒状の他方の突起部３６に挿入される構成とすれば、鍵吊り下げ部材１４を把手部１２から不正に引き抜こうとした際、屈曲部２７から係止部に伝達される力を突起部３５と突起部３６の両方に分散させることができる。したがって、屈曲部２７と突起部３５、３６との係止部の破損を防止できる。
【００４３】
また、円筒状の他方の突起部３６は、周壁に軸方向の複数の切込み３７が形成されて縮径可能に構成されるとともに先端縁には外側に向けて係合フランジ３８が突設され、第１固定カバー３１および第２固定カバー３２が把手部１２に取り付けられたとき、係合フランジ３８が把手部１２の係合面４２に係合し、かつ係合フランジ３８の縮径方向の移動が一方の突起部３５により規制される構成とすれば、係合フランジ３８の係合外れが生じにくくなり、把手部１２に対する第２固定カバー３２の係止力を一層高めることができる。
【００４４】
さらに、鍵吊り下げ部材１４の下部を水平な直線形状部２８として形成すれば、直線形状部２８において隣り合う鍵同士を密接させて吊り下げることができ、多数の鍵を取り付けた場合であっても嵩張ることがない。
【符号の説明】
【００４５】
１      鍵管理装置
２      鍵ホルダ
３      装置本体
４      鍵ホルダ挿入部
１１      差込部
１２      把手部
１３      ホルダ本体
１４      鍵吊り下げ部材
１５      固定部材
２３      スリット（挿通溝）
２８      直線形状部
３１      第１固定カバー（固定部材）
３２      第２固定カバー（固定部材）
３３、３４  係止爪
３５、３６  突起部
【図１】
0005507291.tif 000002
【図２】
0005507291.tif 000003
【図３】
0005507291.tif 000004
【図４】
0005507291.tif 000005
【図５】
0005507291.tif 000006
【図６】
0005507291.tif 000007
【図７】
0005507291.tif 000008
【図８】
0005507291.tif 000009